(57)【要約】【課題】導体引出棒を露出させるための作業等を不要にして作業の簡略化を図れる上に、確実に安全性が保たれた状態で作業を行うことができ、補助金具自体も小型、軽量かつシンプルな構成とすることができる技術を提供すること。【解決手段】地中送電線の架空送電線との接続部Ｊに装着される過渡電流接地用具６の補助金具１０であり、過渡電流接地用具の先端把持部６３ａによって把持可能な軸部分１１を有する本体部１２と、その本体部に設けられたネジ棒部分１３と、そのネジ棒部分にねじ込み可能なナット１４とを備える。接続部は、地中送電線の導体引出棒８に対してボルト・ナットにより取り付けるためのボルト穴９０を有する導体固定端子９を含み、ネジ棒部分は、導体固定端子のボルト穴を貫通可能な長さに形成されている。【選択図】図１
2008193822.tif 000002
【特許請求の範囲】
【請求項１】
地中送電線の架空送電線との接続部に装着される過渡電流接地用具の補助金具であって、
前記過渡電流接地用具の先端把持部によって把持可能な軸部分を有する本体部と、その本体部に設けられたネジ棒部分と、そのネジ棒部分にねじ込み可能なナットとを備え、
前記接続部は、地中送電線の導体引出棒に対してボルト・ナットにより取り付けるためのボルト穴を有する導体固定端子を含み、
前記ネジ棒部分は、前記導体固定端子のボルト穴を貫通可能な長さに形成されている、過渡電流接地用具の補助金具。
【請求項２】
前記本体部の前記ネジ棒部分と反対側の端部にフランジが設けられている、請求項１に記載の過渡電流接地用具の補助金具。
【請求項３】
地中送電線の架空送電線との接続部に装着される過渡電流接地用具の補助金具であって、
前記過渡電流接地用具の先端把持部によって把持可能な軸部分を有する本体部と、その本体部に設けられたネジ穴部分とを備え、
前記接続部は、地中送電線の導体引出棒に対してボルト・ナットにより取り付けるためのボルト穴を有する導体固定端子を含み、
前記ネジ穴部分は、前記導体固定端子を導体引出棒に取り付けているボルトに螺合可能な雌ネジに形成されている、過渡電流接地用具の補助金具。
【請求項４】
前記本体部には、本体部を軸回りに回転操作する操作棒を差し込むことができる貫通孔が設けられている、請求項１〜請求項３のいずれかに記載の過渡電流接地用具の補助金具。
【請求項５】
前記本体部は中空円柱状に形成されていて、その一端側に前記ネジ穴部分が設けられ、他端側にフランジが設けられている、請求項３に記載の過渡電流接地用具の補助金具。
【発明の詳細な説明】
【技術分野】
【０００１】
本発明は、地中送電線の架空送電線との接続部に装着して使用した場合に好適な送電線の過渡電流接地用具の補助金具に関する。
【背景技術】
【０００２】
図１０は、架空送電線のジャンパー線開放・接続時における過渡電流接地用具の使用例を示す概略平面図である。同図において１は鉄塔本体を、２はアームを、２ａは碍子連を、３は停止線路（本線）をそれぞれ示している。この停止線路（本線）３の両端が接地されていると、充電線路から誘起される電磁誘導作用により、電磁誘導電流が発生する。この電磁誘導電流がジャンパー線４に流れる量を軽減させることを目的に、ジャンパー線開放用接地具５を付ける。
【０００３】
さらに、ジャンパー線４を開くと誘導電流の通路がなくなるため、その開放端に大電流（過渡電流）が現れる。その際、作業員がジャンパー線４に触れていると誘導電流の通路となり感電するため、ジャンパー線開放・接続の際には、停止線路（本線）３とジャンパー線４との間に過渡電流接地用具６を付ける。この過渡電流接地用具６は、リード線６１とその両端に設けられた把持部材６２、６３とを備え、一方の把持部材６２の先端把持部６２ａで停止線路（本線）３を把持し、他方の把持部材６３の先端把持部６３ａでジャンパー線４を把持する構成としている。なお、この過渡電流接地用具６のリード線６１は抵抗値を少なくするために短くしている。
【０００４】
この過渡電流接地用具６は、１５４ｋＶ以下の架空線ジャンパー開放作業において、電磁誘導電流によって起こる災害を防止するために使用するとされており、地中送電線の架空送電線との分岐箇所・リード線解放時にも使用している。なお、ここでのリード線は、図１１に示すように、地中送電線の導体引出棒８に導体固定端子（接続金具）９を介して接続するために架空送電線（本線）３から分岐させた送電線（リード線）７のことを意味している。そして、このリード線７の端部には、導体固定端子９に対してナットを含むボルト７１で締結するためのリード線圧縮端子７２が設けられている。
【０００５】
このリード線７の解放時に使用する場合、過渡電流接地用具６をリード線７の露出電線部と導体固定端子９に接続・固定し、ボルト７１を緩めて開放を行う手順となっているが、過渡電流接地用具６の先端把持部６３ａの構造から、導体固定嫡子９のサイズによってはその導体固定端子９を把持することが困難な場合があり、その場合には、先端把持部６３ａをテープまたはロープで固定するか、図示のようにボルト９１を緩めて導体固定端子９を矢印で示すように少し上昇させ、導体引出棒８を露出させて、その位置に先端把持部６３ａを把持固定させている。
【０００６】
即ち、固定端子の形状は、電圧別、ケーブルサイズ別、分岐形態別に多種存在し、その種類によって大きさも様々である。比較的サイズの小さい固定端子へは、過渡電流接地用具６の把持箇所付近に把持・固定させることが可能であるが、あるサイズ以上の固定端子では先端把持部６３ａが導体固定端子９を十分に挟み込むことができず、把持・固定ができない場合があった。その場合、上述のようにテープまたはロープで固定するか、導体固定端子９のボルト９１を緩め、導体引出棒８を露出させた状態にしてからその露出部分に先端把持部６３ａを把持固定させていた。図において８ａは碍子を示している。
【特許文献１】特開２００６−１９６３９６号公報
【発明の開示】
【発明が解決しようとする課題】
【０００７】
しかし、前者の先端把持部６３ａで導体固定端子９を挟み込む方法では、確実な接触・把持ができない場合があり、手で支える等の補助を必要としており、不安定な状態になる恐れが想定される。また、後者の導体固定端子（接続金具）９のボルト９１を緩めて導体引出棒８を露出させる方法では、万一の場合、力加減次第では導体固定端子９が抜けきってしまうことが考えられ、電磁誘導電流による災害を発生させる要因につながる恐れがある。
【０００８】
よって、本発明は、地中送電線の架空送電線との接続部に設けられるボルト穴やボルトを利用して補助金具を取り付け可能にすることで、従来のように導体引出棒を露出させるための作業等を不要にして作業の簡略化を図ることができるだけでなく、確実に安全性が保たれた状態で作業を行うことができ、さらに、補助金具自体も小型、軽量かつシンプルな構成とすることができる技術を提供することを課題としている。
【課題を解決するための手段】
【０００９】
前記課題を解決するため、本発明では以下の手段を採用した。
本発明は、地中送電線の架空送電線との接続部に装着される過渡電流接地用具の補助金具であって、前記過渡電流接地用具の先端把持部によって把持可能な軸部分を有する本体部と、その本体部に設けられたネジ棒部分と、そのネジ棒部分にねじ込み可能なナットとを備え、前記接続部は、地中送電線の導体引出棒に対してボルト・ナットにより取り付けるためのボルト穴を有する導体固定端子を含み、前記ネジ棒部分は、導体固定端子のボルト穴を貫通可能な長さに形成されていることを特徴としている。
【００１０】
本発明の補助金具によれば、導体固定端子のボルト穴を貫通可能な長さのネジ棒部分を本体部に設けてあるので、このネジ棒部分を導体固定端子のボルト穴に差し込みナットで締め付けることで、補助金具を導体固定端子に装着して固定することが可能になる。さらに、この本体部には過渡電流接地用具の把持部によって把持可能な軸部分が設けられているので、確実な接触・把持（電気的接続）を行うことが可能になる。これにより、安全性並びに作業性の向上を図ることができる。
【００１１】
ここで、前記本体部の前記ネジ棒部分と反対側の端部にフランジが設けられていることが望ましい。このように構成すれば、軸部分を把持する過渡電流接地用具の先端把持部に対してフランジを抜け止めとして機能させることができる。
【００１２】
本発明は、地中送電線の架空送電線との接続部に装着される過渡電流接地用具の補助金具であって、前記過渡電流接地用具の先端把持部によって把持可能な軸部分を有する本体部と、その本体部に設けられたネジ穴部分とを備え、前記接続部は地中送電線の導体引出棒に対してボルト・ナットにより取り付けるためのボルト穴を有する導体固定端子を含み、前記ネジ穴部分は、導体固定端子を導体引出棒に取り付けているボルトに螺合可能な雌ネジに形成されていることを特徴としている。
【００１３】
本発明の補助金具によれば、導体固定端子を導体引出棒に取り付けているボルトに螺合可能な雌ネジに形成されたネジ穴部分を有しているので、このネジ穴部分を導体固定端子のボルトに螺合して締め付けるだけで、補助金具を導体固定端子に装着して固定することが可能になる。さらに、この本体部には過渡電流接地用具の先端把持部によって把持可能な軸部分が設けられているので、確実な接触・把持（電気的接続）を行うことが可能になる。これにより、安全性並びに作業性の向上を図ることができる。
【００１４】
本発明において、前記本体部には、本体部を軸回りに回転操作する操作棒を差し込むことができる貫通孔が設けられていることが望ましい。このように構成した場合、操作棒を
貫通孔に差し込み、本体部を軸回りに回転させる操作を簡便に行うことができる。これにより、スパナ等の工具を用いなくても、補助金具の取り付け及び取り外し作業を容易に行うことができる。
【００１５】
本発明において、前記本体部は中空円柱状に形成されていて、その一端側に前記ネジ穴部分が設けられ、他端側にフランジが設けられていることが望ましい。このように構成した場合、補助金具自体を小型、軽量かつシンプルな構成とすることができる上に、軸部分を把持する過渡電流接地用具の先端把持部に対してフランジを抜け止めとして機能させることができる。
【発明の効果】
【００１６】
本発明によれば、地中送電線の架空送電線との接続部に設けられるボルト穴やボルトを利用して補助金具を取り付けることができるので、従来のように導体引出棒を露出させるための作業等を不要にして作業の簡略化を図ることができるだけでなく、確実に安全性が保たれた状態で作業を行うことができ、さらに、補助金具自体も小型、軽量かつシンプルな構成とすることができる。
【発明を実施するための最良の形態】
【００１７】
以下、本発明の好適な実施例について、図面を参照して説明する。なお、以下の実施例において、従来例で示した図１０及び図１１と基本的に同一の構成要素については同一の符号を付している。
【実施例１】
【００１８】
図１は、本発明の実施例１に係る過渡電流接地用具の補助金具の使用例を示す斜視図である。図２は実施例１に係る補助金具の斜視図である。図３〜図７は過渡電流接地用具と補助金具を使用したリード線開放時の作業工程を示す図である。
【００１９】
これらの図に示すように、この過渡電流接地用具６の補助金具１０は、過渡電流接地用具６の先端把持部６３ａによって把持可能な軸部分１１を有する本体部１２と、その本体部１２の一端側に本体部１２と同軸に設けられたネジ棒部分１３と、そのネジ棒部分１３にねじ込み可能なナット１４と、本体部１２の他端側に設けられたフランジ１５とを備えている。
【００２０】
この補助金具１０は地中送電線の架空送電線との接続部Ｊに装着されて使用される。接続部Ｊは地中送電線の導体引出棒８に対してボルト９１、ナット９５により取り付けるためのボルト穴９０を有する導体固定端子９と、リード線７の端部に設けられたリード線圧縮端子７２とを含み、導体固定端子９側に補助金具１０が装着される。従ってネジ棒部分１３は、導体固定端子９のボルト穴９０を貫通可能な長さに形成されている。導体固定端子９及びリード線圧縮端子７２は何れも銅やアルミなどの良導体により製作されている。
【００２１】
導体固定端子９は導体引出棒８を挟み込む合わせ金具９２、９３と、合わせ金具９３の上部に形成された接合板９４とを備えている。接合板９４はリード線圧縮端子７２とほぼ同一輪郭に形成されていて、ボルト７１を挿入可能なボルト穴を有している。従って、リード線７の解放時には、このリード線圧縮端子７２と接合板９４との間で開放される（図７参照）。
【００２２】
補助金具１０の本体部１２には、本体部１２を軸回りに回転操作する操作棒１６（図５参照）やドライバーＤを差し込むことができる貫通孔１７が設けられている。さらに、本体部１２のネジ棒部分１３側には、スパナＳ等を利用して本体部１２を回転操作するためのナット部１８が設けられている。ナット部１８は本体部１２及びネジ棒部分１３に対し
て溶接等により回り止めされて取り付けられている。このナット部１８は本体部１２と一体に形成することもできるが、市販のものを利用する方が製作コストの点で望ましい。
【００２３】
なお、補助金具１０にフランジ１５を設けたのは、軸部分１１を把持する過渡電流接地用具６の先端把持部６３ａに対して抜け止めとして機能させる他、フランジ１５を掴んで軸回りに回転操作する機能も兼用できるように配慮したものである。このフランジ１５を掴んで回転させる操作を行いやすくするために、フランジ１５の周縁部に指掛け凹部１５ａを間隔をおいて複数（４箇所）設けている。
【００２４】
また、フランジ１５の周縁部には、操作棒１６やスパナＳ等の工具に付けた落下防止用のフックを掛けたり紐を結んだりするための通し穴１５ｂが設けられている。
【００２５】
補助金具１０自体は、銅やアルミなどの導電性に優れた金属により形成されている。従って、補助金具１０をねじ込んで導体固定端子９に取り付けた状態において両者は良導体として電気的に接続されるように配慮している。
【００２６】
この補助金具１０を使用する場合には、図３に示すように、導体固定端子９のボルト９１、ナット９５を一つだけ外し、次いで、図４に示すように、補助金具１０のネジ棒部分１３をボルト穴９０に差し込み、反対側からナット１４を螺合して締め付ける。なお、このナット１４に代えて、ボルト９１の締め付けに用いていたナット９５を使用しても良い。
【００２７】
補助金具１０の締め込み作業においては、図５（ａ）に示すようにスパナＳを使用しても良いし、図５（ｂ）に示すように、操作棒１６やドライバーＤ等を使用してもよい。このようにして、操作棒１６やドライバーＤを貫通孔１７に差し込み、本体部１２を軸回りに回転させる操作を簡便に行うことができる。これにより、スパナＳ等の工具を用いなくても、補助金具１０の取り付け及び取り外し作業を容易に行うことができる。
【００２８】
補助金具１０の取り付け作業を終えたら、図６に示すように、過渡電流接地用具６の一方の把持部材６２の先端把持部６２ａでリード線７を把持し、他方の把持部材６３の先端把持部６３ａで補助金具１０の軸部分１１を把持する。これにより、過渡電流接地用具６を確実な状態で装着することができる。
【００２９】
この過渡電流接地用具６の装着を終えたら、その状態において、ボルト７１を全て（図では６本）外すことにより、リード線７を安全に開放することができる（図７参照）。
【実施例２】
【００３０】
図８は本発明の実施例２を示す補助金具の斜視図である。なお、この実施例２において実施例１と基本的に同一の構成要素については同一の符号を付してその説明を簡略化する。
【００３１】
この実施例の補助金具１０は、過渡電流接地用具６の先端把持部６３ａによって把持可能な軸部分１１を有する本体部１２と、その本体部１２に設けられたネジ穴部分１２１とを備えている。ネジ穴部分１２１は、導体固定端子９を導体引出棒８に取り付けているボルト９１に螺合可能な雌ネジに形成されている。
【００３２】
本体部１２は、中空円柱状に形成されていて、その一端側にネジ穴部分１２１が設けられ、他端側にフランジ１５が設けられている。なお、本体部１２の端部にはナット１８が溶接されていて、このナット１８によりネジ穴部分１２１が形成されている。
【００３３】
この実施例の補助金具１０によれば、導体固定端子９を導体引出棒８に取り付けているボルト９１に螺合可能な雌ネジに形成されたネジ穴部分１２１を有しているので、このネジ穴部分１２１を導体固定端子９のボルト９１に螺合して締め付けるだけで、補助金具１０を導体固定端子９に装着して固定することが可能になる。
【００３４】
さらに、この本体部１２には過渡電流接地用具６の先端把持部６３ａによって把持可能な軸部分１１が設けられているので、確実な接触・把持（電気的接続）を行うことが可能になる。これにより、安全性並びに作業性の向上を図ることができる。なお、この実施例では、補助金具１０自体をより小型、軽量かつシンプルな構成とすることができる。
【実施例３】
【００３５】
なお、この補助金具１０としては、例えば、図９に示すように、位置決めナット１２２を設けた頭部１２３付きのボルトにより構成することもできる。この場合、実施例１と同様に、雄ねじ１２４部分をボルト穴９０に差し込んでナット１４で締め付けて装着する方法となる。そして、過渡電流接地用具６の先端把持部６３ａによって軸部分１１を把持する。この実施例の場合、特に低コストで提供できる利点がある。
【図面の簡単な説明】
【００３６】
【図１】本発明の実施例１に係る過渡電流接地用具の補助金具の使用例を示す斜視図である。
【図２】本発明の実施例１に係る補助金具を示す斜視図である。
【図３】本発明の実施例１に係る過渡電流接地用具と補助金具を使用したリード線開放時の作業工程を示す図である。
【図４】本発明の実施例１に係るリード線開放時の作業工程を示す図である。
【図５】本発明の実施例１に係るリード線開放時の作業工程を示す図である。
【図６】本発明の実施例１に係るリード線開放時の作業工程を示す図である。
【図７】本発明の実施例１に係るリード線開放時の作業工程を示す図である。
【図８】本発明の実施例２に係る補助金具を示す斜視図である。
【図９】本発明の実施例３に係る補助金具を示す斜視図である。
【図１０】架空送電線における過渡電流接地用具の使用例を示す平面図である。
【図１１】従来の過渡電流接地用具の想定される使用例を示す斜視図である。
【符号の説明】
【００３７】
１  鉄塔本体
３  停止線路（架空送電線）
４  ジャンパー線
６  過渡電流接地用具
６１  リード線
６２、６３  把持部材
６２ａ、６３ａ  先端把持部
７  リード線
７１  ボルト
７２  リード線圧縮端子
８  導体引出棒
９  導体固定端子
９０  ボルト穴
９１  ボルト
１０  補助金具
１１  軸部分
１２  本体部
１３  ネジ棒部分
１４  ナット
１５  フランジ
１６  操作棒
１７  貫通孔
【図１】
2008193822.tif 000003
【図２】
2008193822.tif 000004
【図３】
2008193822.tif 000005
【図４】
2008193822.tif 000006
【図５】
2008193822.tif 000007
【図６】
2008193822.tif 000008
【図７】
2008193822.tif 000009
【図８】
2008193822.tif 000010
【図９】
2008193822.tif 000011
【図１０】
2008193822.tif 000012
【図１１】
2008193822.tif 000013